(57)【要約】【課題】エプロンを取り外したときに、浴槽外面と、防水パンの浴槽排水口との間に相対的に広い作業空間が形成可能な浴室ユニットを提供すること。【解決手段】浴槽１１と、当該浴槽１１の浴室側に着脱自在に設けられたエプロン１２とを含む浴室ユニット。浴槽１１は、その外面に保温用の浴槽断熱材２０Ａが設けられており、エプロン１２に相対位置する浴槽断熱材２０Ａは、エプロン１２の内面側に設けられたエプロン断熱材２０Ｂと一体となっている。エプロン１２を取り外したときに、浴槽断熱材２０Ａがエプロン１２に付随し、これにより、防水パンの浴槽側排水口２４の清掃等の作業空間が拡大され、保守、点検を容易に行うことができる。【選択図】図３
2013027456.tif 000002
【特許請求の範囲】
【請求項１】
防水パンと、当該防水パン上に設置される浴槽と、当該浴槽の外面に添設された浴槽断熱材と、浴槽の洗い場側に着脱自在に設けられたエプロンとを含む浴室ユニットにおいて、
前記エプロンに相対位置する浴槽断熱材がエプロンに支持されていることを特徴とする浴室ユニット。
【請求項２】
防水パンと、当該防水パン上に設置される浴槽と、当該浴槽の外面に添設された浴槽断熱材と、浴槽の洗い場側に着脱自在に設けられた断熱材からなるエプロンとを含む浴室ユニットにおいて、
前記エプロンに相対位置する浴槽断熱材と、前記エプロンとが一体成形品により構成されていることを特徴とする浴室ユニット。
【請求項３】
防水パンと、当該防水パン上に設置される浴槽と、当該浴槽の外面に添設された浴槽断熱材と、浴槽の洗い場側に着脱自在に設けられたエプロンと、当該エプロンの内面に添設されたエプロン断熱材とを含む浴室ユニットにおいて、
前記エプロンに相対位置する浴槽断熱材と、エプロン断熱材とを一体化させた状態で、これら断熱材がエプロンに支持されていることを特徴とする浴室ユニット。
【請求項４】
前記エプロンは、横方向において複数に分割された複数のエプロン部分からなり、前記防水パンの浴槽側排水口の側方に位置するエプロン部分に相対する浴槽断熱材が、当該エプロン部分に付随して着脱されることを特徴とする請求項１、２又は３記載の浴室ユニット。
【発明の詳細な説明】
【技術分野】
【０００１】
本発明は浴室ユニットに係り、更に詳しくは、浴槽のエプロンを取り外したときに、浴槽の外面側に設けられた保温用の断熱材をエプロンに付随させることができ、防水パンの浴槽側排水口の保守、点検作業を容易に行うことのできる浴室ユニットに関する。
【背景技術】
【０００２】
ユニットバスは、例えば、図５に示されるように、洗い場領域６０Ａを有する防水パン６０と、当該防水パン６０上に配置される浴槽６１とを含んで構成されている。浴槽６１は、湯の保温を行うために、その外面側に断熱材６３が添設されるとともに、浴槽のエプロン６４の内面側にも同様の断熱材６５が添設されている。このような構成は、例えば、特許文献１にも開示されている。
【先行技術文献】
【特許文献】
【０００３】
【特許文献１】特開２００６−１４１７５６号公報
【発明の概要】
【発明が解決しようとする課題】
【０００４】
しかしながら、浴槽のエプロン６４は、防水パン６０の浴槽側排水口を清掃等、保守、点検する際に取り外されるようになっているが、当該エプロンの相対位置にある浴槽断熱材６３が浴槽の外面に固定的に設けられているため、防水パン６０の浴槽側排水口６７に手をアクセスするための空間が狭くなってしまい、作業を容易、迅速に行えない、という不都合がある。また、浴槽側排水口６７に排水逆流防止用のフロート弁６８が併設された構成においては、当該フロート弁を保守、点検する際に、その作業を容易に行うことができない、という不都合もある。
【０００５】
［発明の目的］
本発明は、このような不都合に着目して案出されたものであり、その目的は、エプロンを取り外したときに、浴槽外面と、防水パンの浴槽側の排水口との間に相対的に広い作業空間が形成可能な浴室ユニットを提供することにある。
【課題を解決するための手段】
【０００６】
前記目的を達成するため、本発明は、特許請求の範囲記載の構成を採用したものである。具体的には、防水パンと、当該防水パン上に設置される浴槽と、当該浴槽の外面に添設された浴槽断熱材と、浴槽の洗い場側に着脱自在に設けられたエプロンとを含む浴室ユニットにおいて、
前記エプロンに相対位置する浴槽断熱材がエプロンに支持される、という構成を採っている。
【０００７】
また、本発明は、防水パンと、当該防水パン上に設置される浴槽と、当該浴槽の外面に添設された浴槽断熱材と、浴槽の洗い場側に着脱自在に設けられた断熱材からなるエプロンとを含む浴室ユニットにおいて、
前記エプロンに相対位置する浴槽断熱材と、前記エプロンとが一体成形品により構成される、という構成を採ることもできる。
【０００８】
更に、本発明は、防水パンと、当該防水パン上に設置される浴槽と、当該浴槽の外面に添設された浴槽断熱材と、浴槽の洗い場側に着脱自在に設けられたエプロンと、当該エプロンの内面に添設されたエプロン断熱材とを含む浴室ユニットにおいて、
前記エプロンに相対位置する浴槽断熱材と、エプロン断熱材とを一体化させた状態で、これら断熱材がエプロンに支持される構成を採用することが好ましい。
【０００９】
前記浴室ユニットにおいて、前記エプロンは、横方向において複数に分割された複数のエプロン部分からなり、前記防水パンの浴槽側排水口の側方に位置するエプロン部分に相対する浴槽断熱材が、当該エプロン部分に付随して着脱されるように設けられている。
【発明の効果】
【００１０】
本発明によれば、エプロンに相対位置する浴槽断熱材がエプロンの内面側に支持される構成であるため、エプロンを取り外したときに、これに相対する浴槽部分には浴槽断熱材が存在しないことになる。従って、防水パンの浴槽側排水口の保守点検時に、浴槽断熱材の厚み分に応じたスペースの拡大が図れ、従来のように狭い空間での作業から開放されて、作業を容易に行うことができる。
また、浴槽断熱材とエプロンとが一体成形品により構成されている場合には、浴室ユニットの部品点数を削減することができる他、エプロンと断熱材との連結も不要となる。
更に、浴槽断熱材と、エプロン断熱材とを一体化させた状態でエプロンに支持される構成によれば、浴槽断熱材の部品点数を削減できる。
また、エプロンを複数のエプロン部分により構成し、浴槽側排水口の側方に位置するエプロン部分に相対する浴槽断熱材を当該エプロン部分に付随して着脱する構成では、浴槽排水口の保守、点検に必要な範囲のみに限定して浴槽側断熱材をエプロンに付随させれば足りることになる。
【図面の簡単な説明】
【００１１】
【図１】実施形態に係る浴室ユニットの要部外観斜視図。
【図２】エプロン部分を取り外した状態を示す斜視図。
【図３】前記浴室ユニットの概略断面図。
【図４】浴槽側断熱材をエプロンに取り付ける構造を示す斜視図。
【図５】従来の浴室ユニットの概略断面図。
【発明を実施するための形態】
【００１２】
以下、本発明の実施形態について図面を参照しながら説明する。
【００１３】
図１において、浴室ユニット１０は、防水パン１１と、浴槽１２と、当該浴槽１２の洗い場側に着脱自在に設けられたエプロン１３とを備えて構成されている。図３に示されるように、浴槽１２の外面とエプロン１３の内面には、シート状をなす複数の断熱材２０が配置されている。この断熱材２０は、浴槽１２の外面側に位置する浴槽断熱材２０Ａと、エプロン１３の内面側に位置するエプロン断熱材２０Ｂとを含む。断熱材２０は、発泡スチロール成形品（ＥＰＳ）、発泡ポリエチレンシート（ＰＥ）等が例示でき、当該断熱材２０は、適宜な嵌合構造を介して取り付けたり、接着剤或いは両面接着テープ等を介して貼り付けることで浴槽１２の外面及びエプロン１３の内面に支持させることができる。
【００１４】
前記エプロン１３は、図１、図２に示されるように、左右方向において複数に分割されたプレート状の樹脂成形品により構成されている。このエプロン１３は、中央に位置するエプロン部分１３Ａと、その左右両側に位置するエプロン部分１３Ｂ、１３Ｃとからなる。中央のエプロン部分１３Ａは、図２に示されるように、それを浴槽１２から取り外すことで、防水パン１１の浴槽側排水口２４の清掃や、当該浴槽側排水口２４に併設されたフロート弁６８の保守、点検等が行えるようになっている。ここで、中央のエプロン部分１３Ａの内面側に位置するエプロン断熱材２０Ｂは、相対位置にある浴槽断熱材２０Ａとの一体成形品により構成されている。この一体成形品は、エプロン断熱材２０Ｂがエプロン部分１３Ａの内面に接着等の手段を介して支持され、当該エプロン断熱材２０Ｂに一体化された浴槽断熱材２０Ａは、エプロン部分１３Ａを浴槽１２の所定位置に取り付けたときに、当該浴槽１２の外面に添設されるようになっている。
【００１５】
以上の構成において、本実施形態に係る浴室ユニット１０は、中央のエプロン部分１３Ａを浴槽１１から取り外したときに、これに相対する浴槽断熱材２０Ａがエプロン部分１３Ａに付随することになるため、防水パン１１の浴槽側排水口２４の保守点検作業を行うスペースを拡大することができ、これにより、必要な作業を容易且つ迅速に行うことが可能となる。
【００１６】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００１７】
例えば、前記実施形態では、エプロン断熱材２０Ｂに浴槽断熱材２０Ａが一体化した場合について図示、説明したが、図４に示されるように、別体としてそれぞれ成形し、浴槽断熱材２０Ａをねじ３０によりエプロン断熱材２０Ｂに固定するように設けてもよい。この場合には、それぞれの断熱材の素材を異ならせることができる。
【００１８】
また、前記実施形態では、エプロン１３が複数に分割された場合を示したが、一枚のエプロンにより構成してもよい。この場合、浴槽断熱材２０Ａは、浴槽側排水口２４の上部側の一定領域をエプロン１３に付随させるように構成してあればよい。
【００１９】
更に、エプロン１３自体を断熱材により形成し、その内面側に浴槽断熱材を一体に設けることもできる。
【符号の説明】
【００２０】
１０…浴室ユニット、１２…浴槽、２０Ａ…浴槽断熱材、２０Ｂ…エプロン断熱材、１３…エプロン、１３Ａ、１３Ｂ、１３Ｃ…エプロン部分
【図１】
2013027456.tif 000003
【図２】
2013027456.tif 000004
【図３】
2013027456.tif 000005
【図４】
2013027456.tif 000006
【図５】
2013027456.tif 000007